(57)【特許請求の範囲】
【請求項１】
端末装置からウェブページの要求を受け付ける受付部と、
前記端末装置における表示画面サイズによって異なる割合に応じたサイズよりも小さいサイズである広告領域を含むウェブページを配信する配信部と、
を有することを特徴とする情報処理装置。
【請求項２】
前記受付部は、前記ウェブページの要求として、ユーザによって入力された検索クエリを前記端末装置から受け付け、
前記配信部は、前記ウェブページとして、前記検索クエリに対応する広告情報が前記広告領域に表示される検索結果のページを配信する
ことを特徴とする請求項１に記載の情報処理装置。
【請求項３】
前記端末装置に関する情報に基づいて、前記表示画面サイズに対する広告領域のサイズの割合であって、前記表示画面サイズによって異なる割合を決定する決定部をさらに有し、
前記配信部は、前記決定部によって決定された割合に応じたサイズよりも小さいサイズである広告領域を含むウェブページを配信する
ことを特徴とする請求項１または２に記載の情報処理装置。
【請求項４】
前記広告領域に表示可能な数の広告情報を取得する取得部をさらに有し、
前記配信部は、前記取得部によって取得された広告情報が表示されるウェブページを配信する
ことを特徴とする請求項１〜３のいずれか１つに記載の情報処理装置。
【請求項５】
前記広告領域のサイズが前記割合に応じたサイズよりも小さいサイズとなるように、前記広告情報を編集する編集部をさらに有し、
前記配信部は、前記編集部によって編集された広告情報が前記広告領域に表示されるウェブページを配信する
ことを特徴とする請求項４に記載の情報処理装置。
【請求項６】
前記編集部は、前記広告情報の編集として、前記広告情報に含まれるテキストの表示サイズを所定のサイズ以上に設定するとともに、前記広告領域のサイズが前記割合に応じたサイズよりも小さいサイズとなるように、設定した表示サイズで前記広告領域に表示可能な当該テキストの先頭部分により形成される広告情報を生成し、
前記配信部は、前記編集部によって抽出されたテキストである広告情報が前記広告領域に表示されるウェブページを配信する
ことを特徴とする請求項５に記載の情報処理装置。
【請求項７】
コンピュータが実行する情報処理方法であって、
端末装置からウェブページの要求を受け付ける受付工程と、
前記端末装置における表示画面サイズによって異なる割合に応じたサイズよりも小さいサイズである広告領域を含むウェブページを配信する配信工程と、
を含むことを特徴とする情報処理方法。
【請求項８】
端末装置からウェブページの要求を受け付ける受付手順と、
前記端末装置における表示画面サイズによって異なる割合に応じたサイズよりも小さいサイズである広告領域を含むウェブページを配信する配信手順と、
をコンピュータに実行させることを特徴とする情報処理プログラム。
【発明の詳細な説明】
【技術分野】
【０００１】
本発明は、情報処理装置、情報処理方法および情報処理プログラムに関する。
【背景技術】
【０００２】
インターネット上には膨大な情報が開示されており、ユーザは、知りたい情報を探す際には検索サイトを利用する場合が多い。かかる検索サイトでは、検索マッチング広告や検索連動型広告と呼ばれる広告配信が行われることがある。
【０００３】
例えば、特許文献１には、リスティング情報（検索結果リスト）表示の際に、予め用意された広告情報の中からリンスティング情報に関係がある広告情報を選出し、選出した広告情報を、広告情報のための所定のエリアに表示する技術について記載されている。
【先行技術文献】
【特許文献】
【０００４】
【特許文献１】特許第３６７６９９９号公報
【発明の概要】
【発明が解決しようとする課題】
【０００５】
しかしながら、上記の従来技術では、広告情報に対するクリック率の低下を防止することができるとは限らない。具体的には、上記従来技術は、ユーザから指定された検索キーワードに応じた広告情報を含む検索結果ページをユーザに提示するものに過ぎず、広告情報に対するクリック率の低下を防止することができるとは限らない。
【０００６】
本願は、上記に鑑みてなされたものであって、広告情報に対するクリック率の低下を防止することができる情報処理装置、情報処理方法および情報処理プログラムを提供することを目的とする。
【課題を解決するための手段】
【０００７】
本願にかかる情報処理装置は、端末装置からウェブページの要求を受け付ける受付部と、前記端末装置における表示画面サイズの所定割合以下のサイズである広告領域を含むウェブページを配信する配信部と、を有することを特徴とする。
【発明の効果】
【０００８】
実施形態の一態様によれば、広告情報に対するクリック率の低下を防止することができるといった効果を奏する。
【図面の簡単な説明】
【０００９】
【図１】図１は、第１の実施形態にかかる情報処理の一例を示す図である。
【図２】図２は、第１の実施形態にかかる情報処理システムの構成例を示す図である。
【図３】図３は、第１の実施形態にかかる情報処理装置の構成例を示す図である。
【図４】図４は、第１の実施形態にかかる広告情報記憶部の一例を示す図である。
【図５】図５は、第１の実施形態にかかる端末情報記憶部の一例を示す図である。
【図６】図６は、第１の実施形態にかかる情報処理システムによる情報処理手順を示すフローチャートである。
【図７】図７は、第２の実施形態にかかる情報処理装置の構成を示す図である。
【図８】図８は、第２の実施形態にかかる端末情報記憶部の一例を示す図である。
【図９】図９は、編集処理の一例（１）を示す図である。
【図１０】図１０は、編集処理の一例（２）を示す図である。
【図１１】図１１は、編集処理の一例（３）を示す図である。
【図１２】図１２は、第２の実施形態にかかる情報処理システムによる情報処理手順を示すフローチャートである。
【図１３】図１３は、情報処理装置の機能を実現するコンピュータの一例を示すハードウェア構成図である。
【発明を実施するための形態】
【００１０】
以下に本願にかかる情報処理装置、情報処理方法および情報処理プログラムを実施するための形態（以下、「実施形態」）について図面を参照しつつ詳細に説明する。なお、この実施形態により本願にかかる情報処理装置、情報処理方法および情報処理プログラムが限定されるものではない。また、以下の各実施形態において同一の部位には同一の符号を付し、重複する説明は省略される。
【００１１】
（第１の実施形態）
〔１．情報処理〕
まず、図１を用いて、第１の実施形態にかかる情報処理の一例について説明する。図１は、第１の実施形態にかかる情報処理の一例を示す図である。図１の例では、情報処理システム１は、端末装置１０ａ、端末装置１０ｂ、端末装置１０ｃおよび情報処理装置１００を有する。端末装置１０ａと、端末装置１０ｂと、端末装置１０ｃと、情報処理装置１００とは、ネットワークを介して有線または無線により通信可能に接続される。
【００１２】
端末装置１０ａ、端末装置１０ｂ、端末装置１０ｃは、ユーザによって利用される装置である。図１の例では、端末装置１０ａをデスクトップ型ＰＣ（Personal  Computer）、端末装置１０ｂをタブレット端末、端末装置１０ｃを携帯電話機とする。なお、以下の実施形態では、各端末装置を区別せずに単に端末装置１０と表記する場合がある。例えば、端末装置１０は、所定の検索サイトにおいてユーザによって入力された検索クエリに応じた検索結果ページを表示する。
【００１３】
情報処理装置１００は、端末装置１０から受け付けた検索クエリに応じた検索結果と広告情報とを含む検索結果ページを端末装置１０に配信する。つまり、本実施形態において、広告情報は、検索連動型の広告であるものとする。
【００１４】
ここで、検索結果ページにおいて、広告情報を囲んで成る広告領域は、検索クエリ送信元の端末装置１０の表示画面サイズに対して所定の割合以下とすることが予め決められている。
【００１５】
ここで、本実施形態にかかる広告領域について具体的に説明する。ユーザは、自身が利用している端末装置１０の表示画面サイズに対して、広告領域のサイズ（以下、「広告領域サイズ」と表記する場合がある）が大きくなると、広告情報をクリックし難くなる傾向がある。この要因として、例えば、検索クエリに対する本来の検索結果が広告情報に邪魔され、見辛くなる等により、広告情報に対して印象が悪くなること等が考えられる。言い換えると、表示画面サイズに対して、広告領域のサイズが所定の割合以下に抑えられていれば、広告情報に対するユーザの印象が悪くなることはなく、クリックされ難くなることもない。
【００１６】
このように、広告情報に対するユーザのクリックし易さは、端末装置１０の表示画面サイズに対する広告領域サイズの割合に依存する傾向がある。本実施形態では、このようなユーザの特性に基づき、表示画面サイズに応じた広告領域サイズの割合が定められている。つまり、表示画面サイズに対して、ユーザがクリックを許容する広告領域サイズに基づいて、表示画面サイズに応じた広告領域サイズの割合が定められる。
【００１７】
なお、本実施形態では、表示画面サイズおよび広告領域サイズは、表示画面Ｄ１０の面積として説明するが、例えば、縦サイズ（縦幅）や横サイズ（横幅）であってもよい。図１では、表示画面サイズ「１５００×２０００ピクセル」の端末装置１０ａでは、表示画面サイズに対する広告領域サイズを「４０％以下」とすることが予め決められている例を示す。つまり、表示画面サイズ「１５００×２０００ピクセル」の端末装置１０ａでは、その表示画面サイズに対する広告領域のサイズが「４０％以下」であれば、かかる広告領域に表示される広告情報がクリックされ難くなることはないといえる。
【００１８】
また、表示画面サイズ「１３００×７００ピクセル」の端末装置１０ｂでは、表示画面サイズに対する広告領域サイズを「３５％以下」とすることが予め決められている例を示す。また、表示画面サイズ「１２００×６４０ピクセル」の端末装置１０ｃでは、表示画面サイズに対する広告領域サイズを「３０％以下」とすることが予め決められている例を示す。
【００１９】
次に、広告情報の数について説明する。広告情報の数として、表示画面サイズに応じて定められた割合以下のサイズである広告領域に、表示可能な数が設定される。また、「このサイズの広告領域であればこれだけの数の広告情報を表示したい」といった、例えば、情報処理装置１００の管理者等の希望的観点に基づく数も考慮されて定められてもよい。
【００２０】
ここで、図１では、端末装置１０ａにおいて、表示画面サイズ「１５００×２０００ピクセル」の「４０％以下」のサイズである広告領域ＡＲ１には、「４本」の広告情報が表示可能である例を示す。また、端末装置１０ｂにおいて、表示画面サイズ「１３００×７００ピクセル」の「３５％以下」のサイズである広告領域ＡＲ１には、「３本」の広告情報が表示可能である例を示す。また、端末装置１０ｃにおいて、表示画面サイズ「１２００×６４０ピクセル」の「３０％以下」のサイズである広告領域ＡＲ１には、「２本」の広告情報が表示可能である例を示す。
【００２１】
次に、第１の実施形態にかかる情報処理システム１による処理の流れについて具体的に説明する。まず、端末装置１０ａ〜１０ｃのそれぞれのユーザが、所定の検索サイト（Ｙサイトとする）において、検索クエリ「沖縄旅行」を入力したとする。これに応じて、端末装置１０ａ〜１０ｃは、検索クエリ「沖縄旅行」に応じた検索結果ページの要求として、検索クエリ「沖縄旅行」を情報処理装置１００に送信する。
【００２２】
情報処理装置１００は、検索クエリ「沖縄旅行」を受け付けると、検索クエリ送信元の端末装置１０の表示画面サイズに対して定められている広告領域サイズの割合と、その広告領域に表示する広告情報の数を特定する。
【００２３】
図１の例では、情報処理装置１００は、端末装置１０ａに対しては、「表示領域サイズに対して、広告領域サイズが４０％以下となるように、４本の広告情報を表示させる」ことを特定する。また、情報処理装置１００は、端末装置１０ｂに対しては、「表示領域サイズに対して、広告領域サイズが３５％以下となるように、３本の広告情報を表示させる」ことを特定する。また、情報処理装置１００は、端末装置１０ｃに対しては、「表示領域サイズに対して、広告領域サイズが３０％以下となるように、２本の広告情報を表示させる」ことを特定する。
【００２４】
次に、情報処理装置１００は、検索クエリに対応する配信対象の広告情報を、特定した数だけ取得する。例えば、情報処理装置１００は、検索クエリ「沖縄旅行」が設定されている広告情報のうち、各広告情報に設定されている入札単価や、各広告情報の配信実績から算出した広告評価値等に基づいて、特定した数の配信対象の広告情報と、表示順とを決定し、決定した配信対象の広告情報を所定の記憶部から取得する。また、情報処理装置１００は、検索クエリに対応する検索結果を所定の記憶部から取得する。
【００２５】
図１の例では、情報処理装置１００は、検索クエリ「沖縄旅行」に対応する配信対象の広告情報を、端末装置１０ａに対しては「４本」取得し、端末装置１０ｂに対しては「３本」取得し、端末装置１０ｃに対しては「２本」取得する。
【００２６】
次に、情報処理装置１００は、検索結果ページを生成する。具体的には、情報処理装置１００は、検索結果ページに、取得した配信対象の広告情報と、検索結果とを配置することで、検索結果ページを作成する。そして、情報処理装置１００は、生成した検索結果ページを端末装置１０へ配信する。
【００２７】
そして、図１に示すように、端末装置１０ａでは、「４本」の広告情報を囲んだ広告領域ＡＲ１のサイズは、その表示サイズ「１５００×２０００ピクセル」に対して「４０％以下」となる。また、端末装置１０ｂでは、「３本」の広告情報を囲んだ広告領域ＡＲ１のサイズは、その表示サイズ「１３００×７００ピクセル」に対して「３５％以下」となる。また、端末装置１０ｃでは、「２本」の広告情報を囲んだ広告領域ＡＲ１のサイズは、その表示サイズ「１２００×６４０ピクセル」に対して「３０％以下」となる。
【００２８】
このように、情報処理装置１００は、検索クエリを受け付けると、検索クエリ送信元の端末装置１０の表示画面サイズに応じて定められた割合以下のサイズである広告領域に表示可能な数の配信対象の広告情報を取得する。そして、情報処理装置１００は、取得した広告情報と、検索結果を配置した検索結果ページを端末装置１０に配信する。これにより、情報処置装置１００は、検索クエリ送信元の端末装置１０の表示画面サイズに応じて、ユーザに印象が悪くならない程度のサイズの広告領域で広告情報を提供することができるため、クリック率の低下を防ぐことができる。
【００２９】
〔２．情報処理システム〕
次に、図２を用いて、第１の実施形態にかかる情報処理システムの構成について説明する。図２は、第１の実施形態にかかる情報処理システム１の構成例を示す図である。図２に示すように、情報処理システム１は、端末装置１０と、広告主端末２０と、情報処理装置１００とを含む。端末装置１０、広告主端末２０および情報処理装置１００は、ネットワークＮを介して有線または無線により通信可能に接続される。なお、図２に示す情報処理システム１には、複数台の端末装置１０や、複数台の広告主端末２０や、複数台の情報処理装置１００が含まれてもよい。
【００３０】
端末装置１０は、ユーザによって利用される装置である。例えば、端末装置１０は、デスクトップ型ＰＣ（Personal  Computer）や、ノート型ＰＣや、タブレット端末や、携帯電話機や、ＰＤＡ（Personal  Digital  Assistant）等である。端末装置１０は、ユーザによって検索クエリが入力された場合に、検索クエリに応じた検索結果ページのページリクエストを情報処理装置１００に送信する。また、端末装置１０は、情報処理装置１００から受信した検索結果ページを表示する。
【００３１】
広告主端末２０は、広告主によって利用される装置である。例えば、広告主端末２０は、デスクトップ型ＰＣや、ノート型ＰＣや、タブレット端末や、携帯電話機や、ＰＤＡ等である。広告主端末２０は、広告主による操作に従って、広告情報を情報処理装置１００に入稿する。例えば、広告主端末２０は、広告情報として、タイトル、ＵＲＬ（Uniform  Resource  Locator）、詳細説明文等を記載したテキストデータを情報処理装置１００に入稿する。
【００３２】
情報処理装置１００は、端末装置１０から受け付けた検索クエリに応じた検索結果と広告情報とを含む検索結果ページを端末装置１０に配信する。具体的には、情報処理装置１００は、端末装置１０の表示画面サイズに対する広告領域サイズが所定の割合以下となるような数の広告情報を配置した検索結果ページを配信する。
【００３３】
〔３．情報処理装置の構成〕
次に、図３を用いて、実施形態にかかる情報処理装置１００について説明する。図３は、第１の実施形態にかかる情報処理装置１００の構成例を示す図である。図３に示すように、情報処理装置１００は、通信部１１０と、記憶部１２０と、制御部１３０とを有する。
【００３４】
通信部１１０は、例えば、ＮＩＣ（Network  Interface  Card）等によって実現される。そして、通信部１１０は、ネットワークＮと有線または無線で接続され、端末装置１０や広告主端末２０との間で情報の送受信を行う。
【００３５】
記憶部１２０は、例えば、ＲＡＭ（Random  Access  Memory)、フラッシュメモリ等の半導体メモリ素子またはハードディスク、光ディスク等の記憶装置によって実現される。記憶部１２０は、広告情報記憶部１２１と、端末情報記憶部１２２とを有する。
【００３６】
広告情報記憶部１２１は、広告主端末２０から受け付けた広告情報に関する各種情報を記憶する記憶部である。ここで、図４に、第１の実施形態にかかる広告情報記憶部１２１の一例を示す。図４の例では、広告情報記憶部１２１は、広告主ＩＤ、広告ＩＤ、広告データ、キーワードといった項目を有する。
【００３７】
広告主ＩＤは、広告主または広告主端末２０を識別するための識別情報である。広告ＩＤは、広告情報を識別するための識別情報である。広告データは、検索結果ページに表示される広告情報に関するデータである。図４の例では、広告データを概念的な記号で示しているが、実際には、広告データは、タイトル、ＵＲＬ、詳細説明文等が記載されたテキストデータ等である。この場合、タイトル、ＵＲＬ、詳細説明文をまとめて１つの広告情報と見なすことができる。そして、広告情報のうちタイトル部分がユーザに選択（クリック）されると、例えば、検索結果ページから、かかる広告情報を入稿した広告主によって運営されるウェブサイトへ遷移する。
【００３８】
キーワードは、端末装置１０から受け付けた検索クエリに応じた広告情報を特定するための情報であり、広告主によって設定される。例えば、情報処理装置１００は、受け付けた検索クエリと一致するキーワードが対応付けられた広告情報を配信対象の候補として抽出する。なお、情報処理装置１００は、キーワード以外にも、ターゲティング条件（ユーザの年齢、性別、所在地等）を広告主から受け付けてもよい。
【００３９】
すなわち、図４では、広告主ＩＤ「Ｃ１１」によって識別される広告主が、広告ＩＤ「ＡＤ１１」によって識別される広告情報のデータ「ａａａ」を入稿するとともに、キーワード「沖縄旅行」を設定している例を示す。
【００４０】
図３に戻り、端末情報記憶部１２２は、ユーザによって利用される端末装置１０に関する各種情報を記憶する記憶部である。ここで、図５に、第１の実施形態にかかる端末情報記憶部１２２の一例を示す。図５の例では、端末情報記憶部１２２は、ユーザエージェント（以下、「ＵＡ」と表記する場合がある）、表示画面サイズ、広告領域割合、広告情報数といった項目を有する。
【００４１】
「ユーザエージェント」は、端末装置１０の機種を識別するための識別情報である。例えば、ユーザエージェントは、端末装置１０によって、検索クエリとともに、情報処理装置１００へ送信される。なお、以下では、ＵＡを用いて、端末装置１０を区別する場合がある。例えば、ＵＡ「１０ａ」によって識別される機種の端末装置１０を端末装置１０ａと表記する場合がある。
【００４２】
「表示画面サイズ」は、端末装置１０の表示画面Ｄ１０のサイズである。なお、本実施形態において表示画面Ｄ１０は、表示画面全体を示す。また、本実施形態において表示画面サイズは、面積であるものとするが、縦サイズや横サイズであってもよい。
【００４３】
「広告領域割合」は、端末装置１０の表示画面サイズに対する広告領域サイズの割合であり、端末装置１０の表示画面サイズ毎に予め決められる。例えば、広告情報に対するユーザのクリックし易さは、端末装置１０の表示画面サイズに対する広告領域サイズの割合に依存する傾向にある。よって、このようなユーザの特性に基づいて、「広告領域割合」として、表示画面サイズに対して、ユーザがクリックを許容すると考えられる広告領域サイズの割合が定められる。
【００４４】
「広告情報数」は、広告領域に配置される広告情報の数を示す。「広告情報数」として、図５に示すような表示画面サイズに応じて定められた割合以下のサイズである広告領域に、表示可能な数が設定される。
【００４５】
すなわち、図５では、ＵＡ「１０ａ」によって識別される機種である端末装置１０ａの表示画面サイズは、「１５００×２０００ピクセル」であることを示す。また、表示画面サイズが「１５００×２０００ピクセル」の場合には、かかる表示画面サイズに対する広告領域サイズを「４０％以下」とすることが予め決められている例を示す。また、表示画面サイズ「１５００×２０００ピクセル」の「４０％以下」のサイズである広告領域に表示可能な広告情報の数として「４本」が定められている例を示す。
【００４６】
図３に戻り、制御部１３０は、例えば、ＣＰＵ（Central  Processing  Unit）やＭＰＵ（Micro  Processing  Unit）等によって、情報処理装置１００内部の記憶装置に記憶されている各種プログラムがＲＡＭを作業領域として実行されることにより実現される。例えば、この各種プログラムは、ウェブブラウザと呼ばれるアプリケーションプログラムに該当する。また、制御部１３０は、例えば、ＡＳＩＣ（Application  Specific  Integrated  Circuit）やＦＰＧＡ（Field  Programmable  Gate  Array）等の集積回路により実現される。
【００４７】
図３に示すように、制御部１３０は、受付部１３１と、取得部１３２と、生成部１３３と、配信部１３４とを有し、以下に説明する情報処理の機能や作用を実現または実行する。なお、制御部１３０の内部構成は、図３に示した構成に限られず、後述する情報処理を行う構成であれば他の構成であってもよい。また、制御部１３０が有する各処理部の接続関係は、図３に示した接続関係に限られず、他の接続関係であってもよい。
【００４８】
受付部１３１は、ユーザによって所定の検索サイトに検索クエリが入力された場合に、入力された検索クエリに応じた検索結果ページの要求であるページリクエストを端末装置１０から受け付ける。また、受付部１３１は、ページリクエストとともに、検索クエリ送信元の端末装置１０のＵＡを受け付ける。
【００４９】
取得部１３２は、表示画面サイズに応じて定められた割合以下のサイズの広告領域に、表示可能な数の広告情報を広告情報記憶部１２１から取得する。
【００５０】
ここで、取得部１３２の取得処理について、図１に示す端末装置１０ｃを用いて説明する。まず、ユーザがＵＡ「１０ｃ」によって識別される機種である端末装置１０ｃを用いて、所定の検索サイトにおいて、検索クエリ「沖縄旅行」を入力したとする。これにより、端末装置１０ｃは、検索クエリ「沖縄旅行」と、ＵＡ「１０ｃ」とを情報配信装置１００に送信する。
【００５１】
取得部１３２は、受付部１３１によって端末装置１０ｃからＵＡ「１０ｃ」が受け付けられたことにより、ＵＡ「１０ｃ」を用いて、端末情報記憶部１２２を参照する。そして、取得部１３２は、端末装置１０ｃの表示画面サイズ「１２００×６４０」の「３０％以下」のサイズである広告領域ＡＲ１には、「２本」の広告情報が表示可能であることを特定する。
【００５２】
取得部１３２は、端末装置１０ｃに対して広告情報の数を「２本」と特定したことにより、広告情報記憶部１２１から配信対象の広告情報を「２本」取得する。例えば、取得部１３２は、広告情報記憶部１２１において、キーワード「沖縄旅行」が設定されている広告情報のうち、各広告情報の入札単価や広告評価値に基づいて、配信対象の広告情報を「２本」とその表示順を決定する。そして、取得部１３２は、決定した配信対象の広告情報毎のデータを広告情報記憶部１２１から取得する。
【００５３】
また、取得部１３２は、所定の記憶部から検索クエリ「沖縄旅行」に対応する検索結果を取得する。そして、生成部１３３は、取得部によって取得された広告情報のデータと、検索結果のデータとを検索結果ページに配置することで、検索結果ページを生成する。
【００５４】
配信部１３４は、広告情報と検索結果が配置された検索結果ページを端末装置１０（ここでは、端末装置１０ｃ）に配信する。これにより、端末装置１０ｃに検索結果ページが表示される。例えば、図１に示すように、端末装置１０ｃには、検索結果が配置された検索結果領域ＡＲ２の上に、「２本」の広告情報が配置された検索結果が表示される。そして、このとき、「２本」の広告情報を囲んだ広告領域ＡＲ１（例えば、矩形の広告領域）のサイズは、端末装置１０ｃの表示画面サイズ「１２００×６４０」の「３０％」以下となっている。
【００５５】
〔４．情報処理フロー〕
次に、図６を用いて、第１の実施形態にかかる情報処理システム１による情報処理の手順について説明する。図６は、第１の実施形態にかかる情報処理システム１による情報処理手順を示すフローチャートである。
【００５６】
図６に示すように、情報処理装置１００の受付部１３１は、端末装置１０から検索クエリとＵＡを受け付けたか否かを判定する（ステップＳ１０１）。受付部１３１は、検索クエリとＵＡを受け付けていないと判定した場合には（ステップＳ１０１；Ｎｏ）、受け付けるまで待機する。一方、受付部１３１は、検索クエリとＵＡを受け付けたと判定した場合には（ステップＳ１０１；Ｙｅｓ）、取得部１３２へ処理を移行する。
【００５７】
取得部１３２は、受付部１３１によって検索クエリとＵＡが受け付けられた場合に、表示画面サイズに応じて定められた割合以下のサイズである広告領域に表示可能な数の広告情報を広告情報記憶部１２１から取得する（ステップＳ１０２）。具体的には、取得部１３２は、端末情報記憶部１２２を参照し、受け付けられたＵＡに対応する広告情報の数を特定する。そして、取得部１３２は、検索クエリに応じた配信対象の広告情報のデータを、特定した数だけ広告情報記憶部１２１から取得する。このとき、取得部１３２は、例えば、配信対象の広告情報とその表示順を各広告情報の入札単価や広告評価値に基づいて決定する。
【００５８】
また、取得部１３２は、受付部１３１によって受け付けられた検索クエリに対応する検索結果のデータを所定の記憶部から取得する（ステップＳ１０３）。なお、ステップＳ１０２とＳ１０３は、逆の順で行われてもよいし、同時に行われてもよい。
【００５９】
そして、生成部１３３は、取得部１３２によって取得された配信対象の広告情報と、検索結果とを検索結果ページに配置する（ステップＳ１０４）。配信部１３４は、広告情報と検索結果が配置された検索結果ページを端末装置１０に配信する（ステップＳ１０５）。
【００６０】
（第２の実施形態）
第２の実施形態にかかる情報処理装置２００は、広告領域サイズが表示画面サイズに応じて定められている割合以下となるように、配信対象の広告情報を編集する。この点について説明する。
【００６１】
〔１．情報処理装置の構成〕
まず、図７を用いて、第２の実施形態にかかる情報処理装置２００の構成について説明する。図７は、第２の実施形態にかかる情報処理装置２００の構成を示す図である。図７に示すように、情報処理装置２００は、通信部２１０と、記憶部２２０と、制御部２３０とを有する。
【００６２】
通信部２１０は、例えば、ＮＩＣ等によって実現される。そして、通信部２１０は、ネットワークＮと有線または無線で接続され、端末装置１０や広告主端末２０との間で情報の送受信を行う。
【００６３】
記憶部２２０は、例えば、ＲＡＭ、フラッシュメモリ等の半導体メモリ素子またはハードディスク、光ディスク等の記憶装置によって実現される。記憶部２２０は、広告情報記憶部２２１と、端末情報記憶部２２２とを有する。
【００６４】
広告情報記憶部２２１は、広告情報記憶部１２１に対応する記憶部であり、詳細な説明は省略する。
【００６５】
端末情報記憶部２２２は、端末情報記憶部１２２に対応する記憶部である。ここで、図８は、第２の実施形態にかかる端末情報記憶部２２２の一例を示す図である。図８に示すように、端末情報記憶部２２２は、端末情報記憶部１２２に対し、さらに編集フラグといった項目を有する記憶部である。「編集フラグ」は、取得部２３２によって取得された配信対象の広告情報のデータに対し、所定の編集処理のうち、どの編集処理を適用するかを指定する情報を示す。そして、後述する編集部２３３は、広告情報のデータに対し、編集フラグによって指定された編集処理を実行する。例えば、編集部２３３は、検索クエリ送信元の端末装置１０のＵＡが「１０ｂ」である場合には、広告情報のデータに対し、編集フラグ「１」によって指定される編集処理を行う。なお、広告情報のデータとは、上述したように、タイトルや詳細説明文のテキストデータである。
【００６６】
ここで、広告情報の数として、表示画面サイズに応じて定められた割合以下のサイズである広告領域に表示可能な数が設定される旨を第１の実施形態で示した。しかし、表示画面サイズによっては、そのサイズに応じた数の広告情報を所定の文字サイズで表示させようとした場合、かかる表示画面サイズに対する広告領域サイズの割合が、対応する割合を超えてしまうといったことが起こりやすいことが経験的に判明しているとする。まそこで、表示画面サイズに対する広告領域サイズの割合が、確実に対応する割合以下となるように、広告情報のデータを編集するよう指示する編集フラグが立てられる。
【００６７】
本実施形態では、編集フラグ「１」によって指定される編集処理を「広告情報の段落数を編集」、編集フラグ「２」によって指定される編集処理を「広告情報の文字数を編集」、編集フラグ「３」によって指定される編集処理を「広告情報の文字サイズを編集」であるものとする。なお、ここに示す３つの編集処理は、一例であり、他の編集処理が適用されてもよい。例えば、１つの広告情報がタイトル、ＵＲＬ、詳細説明文によって構成される場合、詳細説明文を完全に削除してしまうといった編集処理が適用されてもよい。
【００６８】
図７に戻り、制御部２３０は、受付部２３１と、取得部２３２と、編集部２３３と、生成部２３４と、配信部２３５とを有し、以下に説明する情報処理の機能や作用を実現または実行する。なお、制御部２３０の内部構成は、図７に示した構成に限られず、後述する情報処理を行う構成であれば他の構成であってもよい。また、制御部２３０が有する各処理部の接続関係は、図７に示した接続関係に限られず、他の接続関係であってもよい。
【００６９】
第２の実施形態にかかる情報処理装置２００において、受付部２３１、取得部２３２、生成部２３４および配信部２３５は、情報処理装置１００の受付部１３１、取得部１３２、生成部１３３および配信部１３４にそれぞれ対応する。
【００７０】
ここで、編集部２３３について説明する。編集部２３２は、上述したように、広告情報のデータに対し、編集フラグによって指定される編集処理を実行することで、表示画面サイズに対する広告領域のサイズの割合が、表示画面サイズに応じて定めれらている割合以下となるようにする。以下では、編集部２３３の処理について説明する。
【００７１】
まず、受付部２３１によって、端末装置１０ｂから検索クエリ「沖縄旅行」とＵＡ「１０ｂ」とが受け付けられたとする。これにより、取得部２３２は、端末情報記憶部２２２を参照し、広告情報数「３本」を特定し、広告情報記憶部２２１から配信対象の広告情報３本分のデータを取得する。ここで、取得部２３２は、ＵＡ「１０ｂ」に編集フラグ「１」が対応付けられていることから、取得した広告情報のデータを編集部２３３へ送信する。
【００７２】
編集部２３３は、取得部２３２から受け付けた編集フラグが「１」であることから、「広告情報の段落数を編集」といった処理を行うことを確認すると、取得部２３２から受け付けた広告情報のデータに対し、かかる編集処理を行う。ここで、図９は、編集処理の一例（１）を示す図である。
【００７３】
図９（ａ）に示すように、本実施形態において、１つの広告情報は、「タイトル」、「ＵＲＬ」、「詳細説明文」を含むテキストデータによって構成されるものとする。そして、各広告情報毎に「タイトル」、「ＵＲＬ」、「詳細説明文」の順で、図９（ａ）に示すようなレイアウトがなされて広告情報記憶部２２１に格納されているものとする。
【００７４】
ここで、編集部２３３は、編集フラグ「１」に基づいて、図９（ａ）に示すレイアウトに対し、段落数を編集する。具体的には、編集部２３３は、各広告情報において、ＵＲＬをタイトルの横に移動させるといった編集処理を行うことで、段落数を減らす。これにより、編集部２３３は、３つの広告情報から成る広告領域ＡＲ１の縦サイズを短くすることで、表示画面サイズ「１３００×７００」に対する広告領域サイズの割合が「３５％」以下となるようにする。
【００７５】
図９（ｂ）は、編集部２３３による段落編集後の図であり、編集前の図９（ａ）より段落数が減ったことで、広告領域ＡＲ１の縦サイズが短くされている。これにより、結果的に表示画面サイズ「１３００×７００」に対する広告領域サイズの割合が「３５％以下」を満たすようになる。
【００７６】
そして、生成部２３４は、編集部２３３による編集後の広告情報のデータを検索結果ページに配置するとともに、取得部２３２によって取得された検索クエリ「沖縄旅行」に対応する検索結果を検索結果ページに配置する。そして、配信部２３５は、広告情報と検索結果が配置された結果ページを端末装置１０ｂに配信する。
【００７７】
なお、図９では、編集部２３３がＵＲＬを移動させる例を示したが、例えば、編集部２３３は、詳細説明文を移動させることにより、段落数を減らしてもよい。また、編集部２３３は、ＵＲＬと、詳細説明文の両方を移動させることにより、段落数を減らしてもよい。
【００７８】
また、図９では、編集部２３３は、３つの配信対象の広告情報それぞれついて、ＵＲＬを移動させるといった共通の処理を行う例を示したが、例えば、配信対象の広告情報のうち、所定の広告情報にだけ、かかる処理を行ってもよい。また、例えば、編集部２３３は、図９において上から１番目の広告情報では、ＵＲＬを移動し、２番目の広告情報では、詳細説明文を移動し、３番目の広告情報では、ＵＲＬと、詳細説明文の両方を移動させるといった処理を行ってもよい。しかし、このような処理では、各広告情報においてレイアウトに差が生じるため、広告主による反感を生むことが考えられる。このため、配信対象の広告情報が複数存在する場合には、全ての広告情報において、統一した処理を行うことが望ましい。
【００７９】
次に、編集フラグ「２」について説明する。まず、受付部２３１によって、端末装置１０から検索クエリ「沖縄旅行」とＵＡ「１０ｃ」とが受け付けられたとする。これにより、取得部２３２は、端末情報記憶部２２２を参照し、広告情報数「２本」を特定し、広告情報記憶部２２１から配信対象の広告情報２本分のデータを取得する。ここで、取得部２３２は、ＵＡ「１０ｃ」に編集フラグ「２」が対応付けられていることから、取得した広告情報のデータを編集部２３３へ送信する。
【００８０】
編集部２３３は、編集フラグ「２」に基づいて、配信対象の広告情報において、予め定められているレイアウトに対し文字数を編集する。ここで、図１０は、編集処理の一例（２）を示す図である。図１０に示すように、編集部２３３は、各広告情報において、詳細説明文を省略形に編集することで、文字数を減らす。具体的には、図１０（ｂ）に示すように、編集部２３３は、詳細説明文を所定の句読点で切って、以降の文章を「・・・」で置き換えることで省略形とする。これにより、編集部２３３は、２つの広告情報を囲んで成る広告領域ＡＲ１の縦サイズを短くすることで、表示画面サイズ「１２００×６４０」に対する広告領域サイズの割合が「３０％」以下となるようにする。
【００８１】
図１０（ｂ）は、編集部２３３による文字数編集後の図であり、編集前の図１０（ａ）より文字数が減ったことで、広告領域ＡＲ１の縦サイズが短くされている。これにより、結果的に表示画面サイズ「１２００×６４０」に対する広告領域サイズの割合が「３５％」以下を満たすようになる。
【００８２】
そして、生成部２３４は、編集部２３３による編集後の広告情報のデータを検索結果ページに配置するとともに、取得部２３２によって取得された検索クエリ「沖縄旅行」に対応する検索結果を検索結果ページに配置する。そして、配信部２３５は、広告情報と検索結果が配置された結果ページを端末装置１０ｃに配信する。
【００８３】
なお、詳細説明文を省略形にする例として、「・・・」で置き換える例を示したが、編集部２３３は、置き換えではなく、例えば、所定の句読点以降の文章を削除することで、文字数を減らしてもよい。また、編集部２３３は、編集前の詳細説明文において、その段落数が所定の数以上の詳細説明文や、所定の文字数以上の詳細説明文に対して、文字数を減らす処理を行ってもよい。また、編集部２３３は、このような編集処理を詳細説明文以外（例えば、ＵＲＬ）に対して行ってもよい。また、編集部２３３は、配信対象の広告情報が複数存在する場合には、このような編集処理を全ての広告情報に対して行ってもよいし、所定の広告情報にだけ行ってもよい。
【００８４】
ただし、複数の広告情報のうち、所定の広告情報にだけこのような省略処理を行うと、対応する広告主による反感を生むことが考えられる。このため、配信対象の広告情報が複数存在する場合には、全ての広告情報に対し、統一して省略処理を行うことが望ましい。また、広告領域のサイズによっては、タイトルや詳細説明文等のテキストを省略する場合がある旨を、事前に広告主に報告しておくことが望ましい。
【００８５】
次に、編集フラグ「３」について説明する。まず、受付部２３１によって、端末装置１０ｄから検索クエリ「沖縄旅行」とＵＡ「１０ｄ」とが受け付けられたとする。これにより、取得部２３２は、端末情報記憶部２２２を参照し、広告情報数「２本」を特定し、広告情報記憶部２２１から配信対象の広告情報２本分のデータを取得する。ここで、取得部２３２は、ＵＡ「１０ｄ」に編集フラグ「３」が対応付けられていることから、取得した広告情報のデータを編集部２３３へ送信する。
【００８６】
編集部２３３は、編集フラグ「３」に基づいて、配信対象の広告情報において、予め定められているレイアウトに対し文字サイズを編集する。ここで、図１１は、編集処理の一例（３）を示す図である。図１１に示すように、編集部２３３は、各広告情報において、文字サイズを一律で小さくする。これにより、編集部２３３は、２つの広告情報を囲んで成る広告領域ＡＲ１の縦サイズを短くすることで、表示画面サイズ「９６０×６４０」に対する広告領域サイズの割合が「２５％」以下となるようにする。
【００８７】
図１１（ｂ）は、編集部２３３による文字サイズ編集後の図であり、編集前の図１１（ａ）より文字サイズが小さくなったことで、広告領域ＡＲ１の縦サイズが短くされている。これにより、結果的に表示画面サイズ「９６０×６４０」に対する広告領域サイズの割合が「２５％」以下を満たすようになる。
【００８８】
そして、生成部２３４は、編集部２３３による編集後の広告情報のデータを検索結果ページに配置するとともに、取得部２３２によって取得された検索クエリ「沖縄旅行」に対応する検索結果を検索結果ページに配置する。そして、配信部２３５は、広告情報と検索結果が配置された結果ページを端末装置１０ｄに配信する。
【００８９】
なお、編集部２３３は、文字サイズを所定のサイズ以上に設定するように制御してもよい。例えば、編集部２３３は、一般的なユーザが認識可能な表示サイズ以上になるように文字サイズを設定してもよい。
【００９０】
ここで、編集部２３３は、かかる所定のサイズ以上の文字サイズのタイトルや詳細説明文等のテキストを含む広告情報を広告領域ＡＲ１に表示可能なテキストの先頭部分を抽出し、抽出した先頭部分のテキストにより形成される広告情報を生成してもよい。また、この例に限られず、編集部２３３は、広告情報におけるテキストの先頭部分が広告領域ＡＲ１に初期表示されるとともに、時間経過とともにテキストが流れて表示されるような広告情報を生成してもよい。例えば、編集部２３３は、広告領域ＡＲ１内においてテキストが右から左方向へ流れて表示されるような広告情報を生成してもよい。
【００９１】
なお、配信対象の広告情報において、その文字サイズを一律で小さくする例を示したが、例えば、編集部２３３は、タイトルに対して文字サイズを１ポイント下げ、ＵＲＬと詳細説明文に対して文字サイズ２ポイント下げることにより、各データの文章を異なるサイズに小さくしてもよい。また、編集部２３３は、広告情報毎に異なるサイズに小さくしてもよい。また、編集部２３３は、配信対象の広告情報が複数存在する場合には、このような編集処理を全ての広告情報に対して行ってもよいし、所定の広告情報にだけ行ってもよい。
【００９２】
さて、ここまで、編集部２３３によって、所定の表示画面サイズに対し、所定の１つの編集処理が行われる例について説明してきた。しかし、編集部２３３は、上述してきた編集処理を配信対象の広告情報に対し、複合的に適用してもよい。例えば、図８において、端末装置１０ｅには、編集フラグ「１+２」が対応付けられ、また、端末装置１０ｆには、編集フラグ「１+３」が対応付けられている。
【００９３】
すなわち、ＵＡ「１０ｅ」の端末装置１０から検索クエリが受け付けられた場合に、編集部２３３は、編集フラグ１によって指定される「広告情報の段落数を編集」と、編集フラグ２によって指定される「広告情報の文字数を編集」との両方を配信対象の広告情報に対して行う。
【００９４】
また、ＵＡ「１０ｆ」の端末装置１０から検索クエリが受け付けられた場合に、編集部２３３は、編集フラグ１によって指定される「広告情報の段落数を編集」と、編集フラグ３によって指定される「広告情報の文字サイズを編集」との両方を配信対象の広告情報に対して行う。
【００９５】
また、ここまで３つの編集処理について説明してきたが、編集部２３３がどの表示画面サイズに対して、どの編集処理を行うようにするかは任意に設定されてよい。例えば、図８の例では、ＵＡ「１０ｂ」に対応する表示画面サイズには、編集フラグ「１」が対応付けられているが、この例に限らず、編集フラグ「２」が対応付けられてもよい。他のＵＡについても同様である。
【００９６】
また、編集処理に応じて、編集部２３３が広告領域ＡＲ１の縦サイズを短くする例を示した。この場合、広告領域ＡＲ１の縦サイズに最短縦サイズを予め設定しておくことにより、編集部２３３がその最短縦サイズより短くできないよう制御してもよい。また、編集部２３３は、広告領域ＡＲ１の縦サイズではなく横サイズを短くしてもよいし、縦サイズと横サイズの両方を短くしてもよい。そして、最短縦サイズとともに、最短横サイズが設定されてもよい。
【００９７】
〔２．情報処理フロー〕
次に、図１２を用いて、第２の実施形態にかかる情報処理システム２による情報処理の手順について説明する。図１２は、第２の実施形態にかかる情報処理システム２による情報処理手順を示すフローチャートである。
【００９８】
図１２に示すように、情報処理装置２００の受付部２３１は、端末装置１０から検索クエリとＵＡを受け付けたか否かを判定する（ステップＳ２０１）。受付部２３１は、検索クエリとＵＡを受け付けていないと判定した場合には（ステップＳ２０１；Ｎｏ）、受け付けるまで待機する。一方、受付部２３１は、検索クエリとＵＡを受け付けたと判定した場合には（ステップＳ２０１；Ｙｅｓ）、取得部２３２へ処理を移行する。
【００９９】
取得部２３２は、受付部２３１によって検索クエリとＵＡが受け付けられた場合に、表示画面サイズに応じて定められた割合以下のサイズである広告領域に表示可能な数の広告情報を広告情報記憶部２２１から取得する（ステップＳ２０２）。具体的には、取得部２３２は、端末情報記憶部２２２を参照し、受け付けられたＵＡに対応する広告情報の数を特定する。そして、取得部２３２は、検索クエリに応じた配信対象の広告情報を、特定した数だけ広告情報記憶部２２１から取得する。このとき、取得部２３２は、例えば、配信対象の広告情報とその表示順を各広告情報の入札単価や広告評価値に基づいて決定する。
【０１００】
また、取得部２３２は、受付部２３１によって受け付けられた検索クエリに対応する検索結果のデータを所定の記憶部から取得する（ステップＳ２０３）。なお、ステップＳ２０２とＳ２０３は、逆の順で行われてもよいし、同時に行われてもよい。
【０１０１】
そして、取得部２３２は、受信部２３１によって受け付けられたＵＡに対応する表示画面サイズに、編集フラグが対応付けられている場合には（ステップＳ２０４；Ｙｅｓ）、取得した広告情報のデータと、編集フラグとを編集部２３３に送信し、編集部２３３の処理（ステップＳ２０５）へ移行する。一方、取得部２３２は、編集フラグが対応付けられていない場合には（ステップＳ２０４；Ｎｏ）、取得した広告情報のデータと、検索結果のデータとを生成部２３４に送信し、生成部２３４の処理（ステップＳ２０６）へ移行する。
【０１０２】
編集部２３３は、取得部２３２から広告情報のデータと編集フラグを受け付けた場合に、受け付けた広告情報のデータに対し、編集フラグによって指定される編集処理を行う（ステップＳ２０５）。そして、編集部２３３は、編集後の広告情報のデータを生成部２３４に送信する。
【０１０３】
生成部２３４は、各部から受け付けたデータを検索結果ページに配置することで、検索結果ページを生成する（ステップＳ２０６）。配信部２３５は、広告情報と検索結果が配置された検索結果ページを端末装置１０に配信する（ステップＳ２０７）。
【０１０４】
（他の実施形態）
上述した第１及び第２の実施形態は、上記実施形態以外にも種々の異なる形態にて実施されてよい。そこで、以下では、他の実施形態について説明する。
【０１０５】
〔１．広告領域割合を動的に決定〕
上述した第１および第２実施形態では、端末装置１０の表示画面サイズ毎に、当該表示画面サイズに応じた広告領域サイズの割合が予め決定され端末情報記憶部１２２に格納されている例を示した。そして、これにより、取得部１３２は、端末情報記憶部１２２を参照し、検索クエリ送信元の端末装置１０の表示画面サイズに対して定められている割合以下のサイズである広告領域に表示可能な数の広告情報を取得する例を示した。
【０１０６】
しかしながら、表示画面サイズに対する広告領域サイズの割合は、必ずしも予め決められて端末情報記憶部１２２に格納されている必要はない。この場合、情報処置装置１００および情報処理装置２００は、検索クエリを受け付ける度に、検索クエリ送信元の端末装置１０の表示画面サイズに対する広告領域サイズの割合を動的に決定する。この点について、情報処理装置１００を用いて説明する。
【０１０７】
例えば、情報処置装置１００は、端末装置１０の表示画面サイズと、表示画面サイズに対する広告領域サイズの割合との関係を示す指標値を保持するものとする。一例として、情報処置装置１００は、表示画面サイズが大きくなるほど広告領域サイズの割合が大きくなるような指標値を保持する。そして、情報処置装置１００における受付部１３１は、検索クエリ送信元の端末装置１０の表示画面サイズに対する広告領域サイズの割合を、指標値に基づいて、動的に決定するといった決定部の処理を行う。一例をあげて説明すると、受付部１３１は、検索クエリを受け付けた場合に、端末情報記憶部１２２を参照し、検索クエリ送信元の端末装置１０のＵＡに対応する表示画面サイズを特定する。そして、受付部１３１は、特定した表示画面サイズに対する広告領域サイズの割合を指標値に基づいて決定する。
【０１０８】
〔２．広告形態〕
第１および第２の実施形態では、広告情報が検索連動型広告である例について説明してきた。しかし、広告情報はディスプレイ広告（バナー広告）であってもよい。この点について、第２の実施形態を用いて説明する。
【０１０９】
まず、広告情報記憶部２２１には、広告主から受け付けたディスプレイ広告に関するデータ（画像データ等）が記憶される。また、端末情報記憶部２２２において、広告領域割合は、各表示画面サイズに対するディスプレイ広告が表示される広告領域サイズの割合を示す。そして、検索連動型広告の場合と同様に、例えば、広告領域割合として、各表示画面サイズに対して、ユーザがクリックを許容すると考えられる広告領域サイズの割合が設定される。また、ディスプレイ広告の場合には、広告情報の数が設定される必要はない。
【０１１０】
そして、広告情報がディスプレイ広告である場合には、受付部２３１は、端末装置１０から所定のウェブページのページリクエストとＵＡを受け付ける。そして、取得部２３２は、受付部２３１によってページリクエストとＵＡが受け付けられると、広告情報記憶部２２１から配信対象の広告情報を取得するとともに、端末情報記憶部２２２を参照し、受け付けられたＵＡに対応する広告領域割合を特定する。また、取得部２３２は、受け付けられたＵＡに対応する表示画面サイズに編集フラグが対応付けられている場合には、取得した広告情報のデータと編集フラグとを編集部２３３に送信する。
【０１１１】
編集部２３３は、取得部２３２から受け付けた広告情報のデータに対し、編集フラグによって指定される編集処理を行い、編集後の広告情報のデータを生成部２３４に送信する。生成部２３４は、受け付けた広告情報のデータを端末装置１０からのページリクエストに応じたウェブページの広告領域に配置することで、ウェブページを生成する。
【０１１２】
なお、検索連動型広告とは異なり、ウェブページには、所定のサイズの広告領域が既に設定されている。このため、生成部２３４は、ページリクエスト送信元の端末装置１０の表示画面サイズに対する、かかる広告領域のサイズの割合が取得部２３２によって特定された割合以下となるように、かかる広告領域のサイズを調整したうえで、受け付けた広告情報のデータを配置する。また、生成部２３４は、広告領域のサイズを調整したことにより、ウェブページのレイアウトも調整するよう制御されてもよい。
【０１１３】
そして、配信部２３５は、生成部２３４によって生成されたウェブページを端末装置１０へ配信する。
【０１１４】
なお、生成部２３４が広告領域サイズやウェブページのレイアウトを調整することでウェブページを生成する例を示したが、このようなウェブページの生成に関する処理は、ページリクエスト送信元の端末装置１０によって行われてもよい。この点について説明する。
【０１１５】
例えば、生成部２３４は、端末装置１０に対し、自装置の表示画面サイズに対するウェブページの広告領域サイズの割合が、取得部２３２によって特定された割合以下となるように調整するとともに、ウェブページのレイアウトを調整するように指示する制御情報（例えば、ＪａｖａＳｃｒｉｐｔ（登録商標））を生成する。なお、生成部２３４は、制御情報にページリクエスト送信元の端末装置１０の表示画面サイズを埋め込んでもよいし、端末装置１０に表示画面サイズを取得させてもよい。
【０１１６】
そして、配信部２３５は、ページリクエストに応じたウェブページとともに、生成部２３４によって生成された制御情報を端末装置１０に配信する。端末装置１０は、情報処理装置２００から受け付けた制御情報に基づいて、ウェブページを生成し、生成したウェブページを表示する。
【０１１７】
〔３．広告領域の割合〕
上記第１および第２の実施形態では、端末装置１０の表示画面サイズに応じた広告領域サイズの割合が定められている例を示した。しかし、表示画面サイズに関わらず広告領域サイズの割合は、一定であってもよい。そして、広告情報の数として、かかる割合に基づくサイズの広告領域に表示可能な数が設定される。
【０１１８】
〔４．システム構成〕
上述してきた各実施形態にかかる情報処理装置１００および２００における各部位は、それぞれ情報処理装置１００および２００とは異なる他の装置によって構成されてもよい。例えば、情報処理装置１００および２００とは異なる他の装置が、広告情報記憶部１２１および２２１を有してもよい。
【０１１９】
〔５．プログラム〕
また、上述してきた各実施形態にかかる情報処理装置１００および２００は、例えば図１３に示すような構成のコンピュータ１０００によって実現される。以下、情報処理装置１００を例に挙げて説明する。図１３は、情報処理装置１００の機能を実現するコンピュータ１０００の一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１２０】
ＣＰＵ１１００は、ＲＯＭ１３００又はＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１２１】
ＨＤＤ１４００は、ＣＰＵ１１００によって実行されるプログラム、及び、かかるプログラムによって使用されるデータ等を格納する。通信インターフェイス１５００は、通信網５０を介して他の機器からデータを受信してＣＰＵ１１００へ送り、ＣＰＵ１１００が生成したデータを、通信網５０を介して他の機器へ送信する。
【０１２２】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、生成したデータを、入出力インターフェイス１６００を介して出力装置へ出力する。
【０１２３】
メディアインターフェイス１７００は、記録媒体１８００に格納されたプログラム又はデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１２４】
例えば、コンピュータ１０００が第１の実施形態にかかる情報処理装置１００として機能する場合、コンピュータ１０００のＣＰＵ１１００は、ＲＡＭ１２００上にロードされたプログラムを実行することにより、制御部１３０の機能を実現する。また、ＨＤＤ１４００には、記憶部１２０内のデータが格納される。コンピュータ１０００のＣＰＵ１１００は、これらのプログラムを、記録媒体１８００から読み取って実行するが、他の例として、他の装置から、通信網５０を介してこれらのプログラムを取得してもよい。
【０１２５】
また、例えば、コンピュータ１０００が第２の実施形態にかかる情報処理装置２００として機能する場合、コンピュータ１０００のＣＰＵ１１００は、ＲＡＭ１２００上にロードされたプログラムを実行することにより、制御部２３０の機能を実現する。
【０１２６】
〔６．その他〕
上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１２７】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１２８】
また、上述してきた各実施形態は、処理内容を矛盾させない範囲で適宜組み合わせることが可能である。
【０１２９】
〔７．効果〕
上述してきたように、第１の実施形態にかかる情報処理装置１００は、受付部１３１と、配信部１３４とを有する。受付部１３１は、端末装置１０からウェブページの要求を受け付ける。配信部１３４は、端末装置１０における表示画面サイズの所定割合以下のサイズである広告領域を含むウェブページを配信する。
【０１３０】
これにより、第１の実施形態にかかる情報処理装置１００は、広告情報に対するクリック率の低下を防止することができるため、広告収益の減少を防止することができる。
【０１３１】
また、第１の実施形態にかかる受付部１３１は、ウェブページの要求として、ユーザによって入力された検索クエリを端末装置から受け付ける。また、配信部１３４は、ウェブページとして、検索クエリに対応する広告情報が広告領域に表示される検索結果のページを配信する。
【０１３２】
これにより、第１の実施形態にかかる情報処理装置１００は、検索連動型広告におけるクリック率の低下を防止することができる。
【０１３３】
また、第１の実施形態にかかる決定部（受付部１３１）は、端末装置１０に関する情報に基づいて、表示画面サイズに対する広告領域のサイズの割合を決定する。また、配信部１３４は、決定部（受付部１３１）によって決定された割合以下のサイズである広告領域を含むウェブページを配信する。
【０１３４】
これにより、第１の実施形態にかかる情報処理装置１００は、検索クエリやページリクエストを受け付ける度に、動的に表示画面サイズに対する広告領域サイズの割合を決定することができるため、割合を決定する制度をより高めることができる。
【０１３５】
また、第１の実施形態にかかる取得部１３２は、広告領域に表示可能な数の広告情報を取得する。また、配信部１３４は、取得部１３２によって取得された広告情報が表示されるウェブページを配信する。
【０１３６】
これにより、第１の実施形態にかかる情報処理装置１００は、ウェブページがユーザに与える印象が悪化することを防止することができる。
【０１３７】
また、第１の実施形態にかかる配信部１３４は、端末装置における表示画面サイズに応じて定められた割合に基づく広告領域を含むウェブページを配信する。
【０１３８】
これにより、第１の実施形態にかかる情報処理装置１００は、表示画面サイズ毎に、そのサイズに応じた適切なサイズの広告領域で広告情報を提供することができるため、クリック率の低下を防ぐことができる。
【０１３９】
また、第２の実施形態にかかる編集部２３３は、広告領域が所定割合以下となるように、広告情報を編集する。また、配信部２３５は、編集部２３３によって編集された広告情報が広告領域に表示されるウェブページを配信する。
【０１４０】
これにより、第２の実施形態にかかる情報処理装置２００は、表示画面サイズに対する広告領域サイズの割合を、精度よく所定割合以下とすることができるため、クリック率の低下を防止することができる。
【０１４１】
また、第２の実施形態にかかる編集部２３３は、広告情報に含まれるテキストの表示サイズを所定のサイズ以上に設定するとともに、当該表示サイズで広告領域に表示可能な当該テキストの先頭部分を抽出する。また、配信部２３５は、編集部２３３によって抽出されたテキストである広告情報が広告領域に表示されるウェブページを配信する。
【０１４２】
これにより、第２の実施形態にかかる情報処理装置２００は、テキストが所定のサイズ以上に設定された広告情報を表示させることができるので、例えば、表示画面サイズの小さい端末装置１０を利用しているユーザが文字を認識し辛くなるといった事態を回避することができる。すなわち、表示画面サイズに拘わらず、広告情報に対するユーザの視認性が低下するといった事態を回避することができる。
【０１４３】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１４４】
また、上述してきた「部（section、module、unit）」は、「手段」や「回路」などに読み替えることができる。例えば、配信部は、配信手段や配信回路に読み替えることができる。
【符号の説明】
【０１４５】
１  情報処理システム
１０  端末装置
２０  広告主端末
１００  情報処理装置
１２２  端末情報記憶部
１３０  制御部
１３１  受付部
１３２  取得部
１３３  生成部
１３４  配信部
２００  情報処理装置
２２２  端末情報記憶部
２３０  制御部
２３１  受付部
２３２  取得部
２３３  編集部
２３４  生成部
２３５  配信部
【図１】
0006297515.tif 000002
【図２】
0006297515.tif 000003
【図３】
0006297515.tif 000004
【図４】
0006297515.tif 000005
【図５】
0006297515.tif 000006
【図６】
0006297515.tif 000007
【図７】
0006297515.tif 000008
【図８】
0006297515.tif 000009
【図９】
0006297515.tif 000010
【図１０】
0006297515.tif 000011
【図１１】
0006297515.tif 000012
【図１２】
0006297515.tif 000013
【図１３】
0006297515.tif 000014